(57)【要約】【課題】  揺動堰の表面側に付着堆積したスカムを簡単な構造で剥離することができる機構を備えたスカム除去装置を提供する。【解決手段】  水槽の水面に浮遊するスカムを除去するスカム除去装置２０において、スカムを含むスカム水１４が流入するトラフ２２と、トラフ２２の側壁面に形成されたスカム水１４の流入開口２７に設けられ、該入開口面積に略対応する大きさに形成されると共に、その下端部を揺動支点として縦向きに揺動することによりスカム水１４のトラフ２２への堰止めと越流とを行う揺動堰２４と、揺動堰２４を揺動させる揺動堰駆動手段４０と、揺動堰２４で堰止めしたときに水槽の水に接する揺動堰２４の面を、揺動堰２４の揺動を利用して擦るスクレーパ５４と、を備える。【選択図】図４
2007098213.tif 000002
【特許請求の範囲】
【請求項１】
水槽の水面に浮遊するスカムを除去するスカム除去装置において、
前記スカムを含むスカム水が流入するトラフと、
前記トラフの側壁面に形成された前記スカム水の流入開口に設けられ、該流入開口面積に略対応する大きさに形成されると共に、その下端部を揺動支点として縦向きに揺動することにより前記スカム水の前記トラフへの堰止めと越流とを行う揺動堰と、
前記揺動堰を揺動させる揺動堰駆動手段と、
前記揺動堰で堰止めしたときに前記水槽の水に接する揺動堰の面を、前記揺動堰の揺動を利用して擦るスクレーパと、を備えたことを特徴とするスカム除去装置。
【請求項２】
前記スクレーパは、
前記揺動堰の下方位置に設けられ、その下端部を支点として縦向きに揺動自在な板状部材と、
前記板状部材の先端を前記揺動堰の面に押し付ける方向に付勢する付勢手段と、からなることを特徴とする請求項１のスカム除去装置。
【請求項３】
前記付勢手段はバネ部材であることを特徴とする請求項２のスカム除去装置。
【請求項４】
前記付勢手段は、前記板状部材に内蔵され、該板状部材の浮力により前記付勢力を発生させる前記板状部材のフロート構造であることを特徴とする請求項２のスカム除去装置。
【請求項５】
前記付勢手段はシリンダ装置であることを特徴とする請求項２のスカム除去装置。
【請求項６】
水槽の水面に浮遊するスカムを除去するスカム除去装置において、
前記スカムを含むスカム水が流入するトラフと、
前記トラフの側壁面に形成された前記スカム水の流入開口に設けられ、該流入開口面積に略対応する大きさに形成されると共に、その下端部を揺動支点として縦向きに揺動することにより前記スカム水の前記トラフへの堰止めと越流とを行う揺動堰と、
前記揺動堰を揺動させる揺動堰駆動手段と、
前記揺動堰を覆うシートであって、該シートの一端が前記揺動堰の揺動支点よりも上方の前記トラフ側壁面に固定され、他端が前記揺動支点よりも下方の前記トラフ側壁面に固定されると共に、前記揺動堰が揺動したときに該揺動堰の上端が前記シート内面に常に接触する付着物剥離シートと、を備えたことを特徴とするスカム除去装置。
【発明の詳細な説明】
【技術分野】
【０００１】
本発明は、スカム除去装置に係り、水処理設備の水槽、例えば沈殿池の水面に浮遊するスカム（浮遊物）を除去するためのスカム除去装置に関する。
【背景技術】
【０００２】
従来から、水処理設備の沈殿池等においては、水面にスカムが滞留し、処理水質の悪化及び悪臭発生の原因となってきていた。このため、スカムを定期的に処理する必要があるが、このスカムを除去する装置として、沈殿池の巾いっぱいの長さを有する円筒形状でスカム流入口が開口されたパイプスキマが多くの水処理設備で用いられている。パイプスキマは、スカム除去時には開口部が一定角度回転し、開口部が水面と接触することで、水面上に滞留したスカムを含むスカム水を呑込むようになっている。
【０００３】
しかし、パイプスキマにおいてスカム流入口へのスカム水の越流速度はパイプスキマからスキマ送水配管への流入口に近いほど早く、遠くなるほど遅くなる。越流速度に差が生じるため越流速度の遅い方の水面上に浮遊するスカムがそのまま滞留し易く、また、水位の変動により開口部の呑込み深さが変化し、呑込み量にバラツキが生じてしまうため、スカムをうまく除去できないという問題があった。
【０００４】
この問題を解決するために、特許文献１には、スカムの誘引口として水面よりも深く開口したトラフと、誘引口近くに配され水面を境に上下運動する堰と、内部に液体を流入させるタンクと錘とでシーソー運動を行なうシーソー機構を設け、このシーソー機構によって堰を上下駆動する浮遊物除去装置が提案されている。
【特許文献１】特開平７−３０５３２５号公報
【発明の開示】
【発明が解決しようとする課題】
【０００５】
ところで、特許文献１のように、上下運動する堰によって、スカム水がトラフに流入するのを堰止めしたり越流させたりする場合、堰止め状態では、堰の表面側、即ち沈殿池の水が接触する面側にスカムが付着堆積する。しかしながら、この付着堆積したスカムは、堰を越流状態にしてスカム水を越流させる際にスカム水と一緒にトラフに流入しないという問題がある。
【０００６】
本発明はこのような問題に対してなされたもので、揺動堰の表面側に付着堆積したスカムを簡単な構造で剥離することができる機構を備えたスカム除去装置を提供することを目的とする。
【課題を解決するための手段】
【０００７】
請求項１に記載の発明は、前記目的を達成するために、水槽の水面に浮遊するスカムを除去するスカム除去装置において、前記スカムを含むスカム水が流入するトラフと、前記トラフの側壁面に形成された前記スカム水の流入開口に設けられ、該流入開口面積に略対応する大きさに形成されると共に、その下端部を揺動支点として縦向きに揺動することにより前記スカム水の前記トラフへの堰止めと越流とを行う揺動堰と、前記揺動堰を揺動させる揺動堰駆動手段と、前記揺動堰で堰止めしたときに前記水槽の水に接する揺動堰の面を、前記揺動堰の揺動を利用して擦るスクレーパと、を備えたことを特徴とするスカム除去装置を提供する。
【０００８】
本発明の請求項１によれば、揺動堰で堰止めしたときに水槽の水に接する揺動堰の面（以下表面という）を、揺動堰の揺動を利用して擦るスクレーパを備えたので、揺動堰の表面側に付着堆積したスカムを簡単な構造で剥離することができる。剥離されたスカムはスカム水の越流時にスカム水に同伴されてトラフに流入する。
【０００９】
請求項２は請求項１において、前記スクレーパは、前記揺動堰の下方位置に設けられ、その下端部を支点として縦向きに揺動自在な板状部材と、前記板状部材の先端を前記揺動堰の面に押し付ける方向に付勢する付勢手段と、からなることを特徴とする。
【００１０】
請求項２はスクレーパの好ましい一態様を示したものであり、スカム水をトラフに越流させるために、揺動堰が下向きに揺動すると、付勢手段で付勢された板状部材の先端は揺動堰表面を下から上に擦り上げる。これにより、揺動堰表面に付着堆積したスカムは揺動堰表面から剥離される。
【００１１】
請求項３は請求項２において、前記付勢手段はバネ部材であることを特徴とする。
【００１２】
請求項３は付勢手段の好ましい一態様を示したものであり、バネによる簡単な付勢手段を用いることができる。この場合、バネで押圧することで板状部材の先端を揺動堰表面に押し付けてもよく、バネで引っ張ることで板状部材の先端を揺動堰表面に押し付けてもよい。
【００１３】
請求項４は請求項２において、前記付勢手段は、前記板状部材に内蔵され、該板状部材の浮力により前記付勢力を発生させる前記板状部材のフロート構造であることを特徴とする。
【００１４】
請求項４は付勢手段の別の態様を示したものであり、板状部材をフロート構造にして、該板状部材の内部に付勢手段を内蔵したものである。これにより、付勢手段を別途設けなくてよいので、装置を簡素化できる。
【００１５】
請求項５は請求項２において、前記付勢手段はシリンダ装置であることを特徴とする。
【００１６】
請求項５は付勢手段の更に別の態様を示したものであり、シリンダ装置により、板状部材の先端を揺動堰表面に押し付けるようにしたものである。
【００１７】
請求項６は前記目的を達成するために、水槽の水面に浮遊するスカムを除去するスカム除去装置において、前記スカムを含むスカム水が流入するトラフと、前記トラフの側壁面に形成された前記スカム水の流入開口に設けられ、該流入開口面積に略対応する大きさに形成されると共に、その下端部を揺動支点として縦向きに揺動することにより前記スカム水の前記トラフへの堰止めと越流とを行う揺動堰と、前記揺動堰を揺動させる揺動堰駆動手段と、前記揺動堰を覆うシートであって、該シートの一端が前記揺動堰の揺動支点よりも上方の前記トラフ側壁面に固定され、他端が前記揺動支点よりも下方の前記トラフ側壁面に固定されると共に、前記揺動堰が揺動したときに該揺動堰の上端が前記シート内面に常に接触する付着物剥離シートと、を備えたことを特徴とするスカム除去装置を提供する。
【００１８】
本発明の請求項６によれば、付着物剥離シートは揺動堰の上端を頂点とした三角形の形状（縦断面の形状）をして揺動堰を覆う。従って、堰止め状態のときには、水面に浮遊するスカムは三角形の頂点を挟んだ一方辺と他方辺の２辺のうちの水槽の水に接する辺（この辺を一方辺とする）に対応するシート部分の上部に付着堆積する。そして、スカム水をトラフに越流させるために揺動堰を下向きに揺動させると、揺動堰の上端は常にシート内面に接触しているので、三角形の頂点も下向きに移動する。この頂点の移動により、スカムが堆積したシート部分が変形するので、スカムがシートから剥離され易くなる。更には、スカムが堆積したシート部分よりも三角形の頂点が下位置になるまで揺動堰が揺動して倒れ込むと、スカムが付着堆積していたシート部分は、一方辺から他方辺に移行する。揺動堰が倒れ込んだ状態では、この他方辺は水面に略平行な状態になるので、付着堆積しスカムは越流するスカム水の流れに同伴されてトラフに流入する。
【発明の効果】
【００１９】
以上説明したように、本発明のスカム除去装置によれば、揺動堰の表面側に付着堆積したスカムを簡単な構造で剥離することができる。
【発明を実施するための最良の形態】
【００２０】
以下添付図面に従って本発明に係るスカム除去装置の好ましい実施の形態について詳説する。
【００２１】
図１は本発明の実施の形態に係るスカム除去装置２０を、沈殿池１０に組み込んだ斜視図である。また、図２はスカム除去装置２０の一方端部分を上から見た概略図であり、図３（Ａ）、（Ｂ）はトラフと揺動堰との連結部分を説明する縦断面図である。
【００２２】
スカム除去装置２０は、主として沈殿池１０の水面に浮遊するスカムを含むスカム水１４が流入するトラフ２２と、トラフ２２の側壁面に形成されたスカム水の流入開口２７に設けられ、該流入開口面積に略対応する大きさに形成されると共に、その下端部を揺動支点として縦向きに揺動することによりスカム水のトラフ２２への堰止めと越流とを行う揺動堰２４と、揺動堰２４を揺動させる揺動堰駆動手段４０と、で構成される。
【００２３】
トラフ２２は、横断面の形状が凹状に形成されると共に、長さ方向が沈殿池１０の横幅と略同じ長さに形成される。トラフ２２に流入したスカム水は沈殿池１０の一方側の側壁面に形成された排出口３２を介して排出流路３０に流出される。
【００２４】
また、トラフ２２の一方側の側壁面には流入開口２７の左右両端部から揺動堰２４の揺動方向に突出した第１の側板３１、３１が一対設けられ、この第１の側板３１、３１の下部に設けられたヒンジ２６に揺動堰２４が揺動自在に支持される。更には、揺動堰２４の左右両端部には揺動堰２４が揺動する際に第１の側板３１、３１に摺動する第２の側板２６、２６が一対設けられる。第２の側板２６、２６は、ヒンジ２６を要とした扇形状に形成される。これにより、揺動堰２４が揺動したときに、トラフ２２の側壁面と揺動堰２４との左右両端部の間に形成される扇形状の隙間を塞ぐことができるので、沈殿池の水が揺動堰２４の左右両端部から回り込んでトラフ２２に流入するのを防止でき、揺動堰２４の上端から越流するスカム水のみをトラフ２２に流入させることができる。第１の側板３１、３１と第２の側板２６、２６との摺動面には、シール部材（例えばＯリング等）を介在させて揺動堰２４が揺動した際の水密性を向上することが好ましい。
【００２５】
また、一対からなる第１の側板３１、３１と第２の側板２６、２６との外側には、揺動堰２４が揺動した際にトラフ２２の側壁面と揺動堰２４との左右両端部の間に形成される前述の扇形状の隙間を塞ぐ蛇腹部材２８が設けられている。これによって、沈殿池１０の水が揺動堰２４の左右両端部から回り込んでトラフ２２に流入するのを一層防止できる。更には、ヒンジ２３にスカムやその他の付着物が付着して揺動堰２４の揺動を阻害しないように、図３（Ａ）及び（Ｂ）に示すように、ヒンジ２３をカバー２５で覆うことが好ましい。
【００２６】
そして、図３（Ａ）及び（Ｂ）から分かるように、揺動堰２４はヒンジ２３を揺動支点として揺動することにより、スカム水のトラフ２２への堰止めと越流とを行う。即ち、沈殿池１０の水面にスカムが溜まっていないときには、図３（Ａ）に示したように、揺動堰の上端が水面よりも高い位置になるように揺動堰２４を揺動させる。そうすることで、スカム除去装置２０のトラフ２２にスカム水１４が流入することを防いでいる。一方、スカムが水面に溜まったときには、図３（Ｂ）に示したように、揺動堰２４の上端が水面よりも低い位置になるように揺動堰２４を揺動させる。そうすることで、スカム除去装置２０のトラフ２２にスカム水１４が流入するので水面に浮遊するスカムを沈殿池１０から取り除くことができる。トラフ２２に流入したスカム水１４は、排出流路３０によって外部に排出され、不図示の外部装置によりスカムを分離し、スカムが分離された水は再び沈殿池１０に戻される。
【００２７】
また、図１及び図２に示すように、沈殿池１０内における揺動堰２４の左右両端部の近傍には、スカム水１４の流れを揺動堰２４の左右両端側から中央側にガイドするガイド板３４を設けることが好ましい。これは、沈殿池１０の側壁１２と蛇腹部材２８との隙間にスカムが入り込み、スカムが蛇腹部材２８に付着すると、蛇腹部材２８の伸縮動作を阻害するので、揺動堰２４の揺動に支障をきたしてしまうからである。本発明の実施の形態では、ガイド板３４を設けるようにしたので、揺動堰２４両端部と側壁１２との隙間にスカムが入り込むのを防止できる。更に、ガイド板３４の下部（水中）にエアを曝気する曝気管３７を設けることが好ましい。この曝気管３７におけるエアの曝気向きは揺動堰２４の両端部側から中央部側への水流が形成されるように配置することが好ましい。このようにエアを水中に曝気することで、ガイド板３４付近に集まったスカムをエアの勢いによって揺動堰２４の両端側から中央側に追いやることができるので、更に、揺動堰２４両端部と壁１２との隙間にスカムが入り込んでしまうことを防ぐことができる。エアはエア配管を介して供給するが、水処理設備にある曝気槽において用いているエアを好適に利用することができる。
【００２８】
次に、図４〜図９を使用して、揺動堰で堰止めしたときに水槽の水に接する揺動堰の表面側に付着堆積するスカムを、揺動堰の揺動を利用して剥離するスカム剥離手段の態様を説明する。
【００２９】
スカム剥離手段のうち、図４〜図７までは揺動堰の表面を、揺動堰の揺動を利用して擦るスクレーパを用いた態様である。また、図８及び図９は、付着物剥離シートを用いた態様である。
【００３０】
図４及び図５に示すように、スカム除去装置２０には、板状部材５４が、その下端部を支点として縦向きに揺動自在となるようにヒンジ５５を介してトラフ側壁部に取り付けられており、その先端部が揺動堰２４の水槽の水に接する面２４ａ（表面）を押し付けるように、付勢されている。即ち、付勢手段としてバネ部材５６が板状部材５４と揺動堰２４とを繋ぐように設けられている。この構造により、板状部材５４の先端部が揺動堰２４の表面を押圧している。図４は、スカム水１４をトラフ２２に流入しないように堰止めしている場合であり、スカム水１４中のスカム１６は揺動堰２４の先端付近に浮遊しているので、スカム１６が揺動堰２４に接触すると揺動堰２４に付着堆積しやすい。揺動堰２４に付着堆積してしまったスカム１６は、図３（Ａ）、（Ｂ）のように揺動堰２４を揺動しただけでは、揺動堰２４から剥がすことができず、人為的に清掃を行なわなければならない。図５は、スカム水１４をトラフ２２に越流している場合であり、揺動堰２４が揺動することで板状部材５４の先端部が揺動堰２４の表面２４ａを擦ることで揺動堰２４の表面２４ａに付着体積したスカム１６を剥離することができ、剥離されたスカム１６はスカム水１４に同伴されてトラフ２２に流入する。
【００３１】
図６は、揺動堰の表面を、揺動堰の揺動を利用して擦るスクレーパを用いた別態様であり、板状部材５４をフロート構造にすることで、板状部材５４の内部に付勢手段を内蔵したものである。このように構成されたスカム除去装置２０は、図４及び図５のスカム除去装置２０と同様に、揺動堰２４が揺動することで板状部材５４の先端部が揺動堰２４の表面２４ａを擦ることで揺動堰２４の表面２４ａに付着体積したスカム１６を剥離することができ、しかも図４及び図５のスカム除去装置２０のように付勢手段として別途設けなくてもよくなるので装置を簡素化できる。
【００３２】
図７は、揺動堰の表面を、揺動堰の揺動を利用して擦るスクレーパを用いた更に別の態様を示したものであり、付勢手段としてシリンダ装置５７を設けたものである。このように構成されたスカム除去装置２０も、揺動堰２４が揺動することで板状部材５４の先端部が揺動堰２４の表面２４ａを擦り揺動堰２４の表面２４ａに付着体積したスカム１６を好適に剥離することができる。
【００３３】
また、スカム剥離手段が付着物剥離シートを用いた態様であるスカム除去装置２０は、図８及び図９に示すように、揺動堰２４を覆うシート５９の一端が揺動堰２４の揺動支点よりも上方のトラフ側壁面２２ａに固定され、他端が揺動支点よりも下方のトラフ側壁面２２ｂに固定されると共に、揺動堰２４が揺動したときに揺動堰２４の上端２４Ａがシート５９内面に常に接触する付着物剥離シート５９が設けられている。付着物剥離シート５９は揺動堰２４の上端２４Ａを頂点とした三角形の形状（縦断面の形状）をして揺動堰２４を覆っている。堰止め状態のときには、図８に示すように、水面に浮遊するスカム１６は三角形の頂点を挟んだ一方辺と他方辺の２辺のうちの水槽の水に接する辺５９ａ（この辺を一方辺とする）に対応するシート部分の上部に付着堆積する。そして、図９に示すように、スカム水１４をトラフ２２に越流させるために揺動堰２４を下向きに揺動させると、揺動堰２４の上端２４Ａは常にシート５９内面に接触しているので、三角形の頂点も下向きに移動する。この頂点の移動により、スカム１６が堆積したシート部分が変形するので、スカム１６がシート５９から剥離され易くなる。更には、スカム１６が堆積したシート部分よりも三角形の頂点が下位置になるまで揺動堰２４が揺動して倒れ込むと、スカム１６が付着堆積していたシート部分は、一方辺５９ａから他方辺５９ｂに移行する。揺動堰が倒れ込んだ状態では、この他方辺は水面に略平行な状態になるので、付着堆積したスカム１６は越流するスカム水１４の流れに同伴されてトラフ２２に流入する。尚、揺動堰２４を覆うシート５９がテフロン（登録商標）シートであると、スカム１６がシート５９に付着しにくく、また、シート５９に付着堆積しても容易に剥離しやすいので好ましい。
【００３４】
図１０及び図１１は、本発明に係るスカム除去装置２０における揺動堰駆動手段４０の斜視図であり、揺動堰２４が水に浮かぶフロート構造に好適な手段である。図１０及び図１１では第１及び第２の側壁、蛇腹部材等は省略してある。
【００３５】
図１０の揺動堰駆動手段４０は、揺動堰２４の上端中央部に取り付けられたヒンジ４２に棒状部材４１の下端が遊びをもった状態で回動自在に支持される。この棒状部材４１は上端部がフリーな状態で垂直に立設されると共に略中央部が装置本体基盤４７に支持されたガイド筒４４内に挿通される。このガイド筒４４によって棒状部材４１が倒れるのを防止すると共に、棒状部材４１がスムーズに上下動を行えるようにしている。また、棒状部材４１の上部近傍には、エアプランジャ４６に支持された一対のクランプ４９、４９が設けられ、エアプランジャ４６を駆動することで一対のクランプ４９、４９が棒状部材４１をクランプ（挟持）したり、棒状部材４１を離したりすることができる。また、エアプランジャ４６は装置本体基盤４７に固定されたエアシリンダ４８に搭載されており、エアシリンダ４８を駆動することにより、エアプランジャ４６を上下移動することができる。
【００３６】
このように構成された揺動堰駆動手段４０によれば、通常時には、一対のクランプ４９、４９が棒状部材４１を離した状態（非接触の状態）にある。このため、フロート構造の揺動堰２４は沈殿池１０の水面の水位に追従して揺動すると共に、揺動堰２４の上端は水面から上にでた状態にあり、水がトラフ２２に流入するのを堰止めする。そして、水面にスカムが溜まってスカム水をトラフ２２に流入させるときには、エアプランジャ４６を駆動して一対のクランプ４９、４９で棒状部材４１をクランプすると共に、エアシリンダ４８のロッド４８Ａを縮方向に駆動してエアプランジャ４６を下方に所定量だけ移動させる。このエアプランジャ４６の下方移動にともなって一対のクランプ４９，４９にクランプされた棒状部材４１も下方移動するので、揺動堰２４が下向きに揺動し、揺動堰２４の上端が水面下に没する。これにより、スカム水が揺動堰２４の上端を乗り越えてトラフ２２に越流する。このときに、揺動堰駆動手段４０による揺動堰２４の揺動量を調整することで、揺動堰２４の上端を所望距離だけ水面下に沈めることができるので、スカム水のトラフ２２への越流量を調整できる。
【００３７】
図１１の揺動堰駆動手段４０’は、揺動堰２４の上端中央部に取り付けられたヒンジ４２に棒状部材４１の下端部が回動自在に支持され、この棒状部材４１の上端部がフリーな状態で垂直に立設されると共に略中央部が装置本体基盤に支持されたガイド筒４４内に挿通されることは、図１０の揺動堰駆動手段４０と同様である。そして、図１１の揺動堰駆動手段の場合には、棒状部材４１の上端の少し上方位置に電動シリンダ装置のロッド先端５０Ｂを上下方向にストロークするように配置し、ロッド５０Ａが伸長動作したときに棒状部材４１の上端に当接し、棒状部材４１を下方移動させるようになっている。
【００３８】
このように構成された揺動堰駆動手段４０’によれば、通常時には、電動エアシリンダ５０のロッドは縮んだ状態にあり、棒状部材の上端には当接していない。このため、フロート構造の揺動堰２４は沈殿池１０の水面の変動に応じて揺動すると共に、揺動堰２４の上端は水面から上にでた状態にあり、水がトラフ２２に流入するのを堰止めする。そして、水面にスカムが溜まってスカム水をトラフ２２に流入させるときには、電動エアシリンダ５０のロッドを伸長動作させてロッド先端を棒状部材４１に当接させ、更にロッドを所定量だけ下方に伸長させる。このロッドの下方への伸長にともなって棒状部材４１も下方移動するので、揺動堰２４が下向きに揺動し、揺動堰２４の上端が水面下に没する。これにより、スカム水が揺動堰２４の上端を乗り越えてトラフ２２に越流する。このときに、揺動堰駆動手段４０’による揺動堰２４の揺動量を調整することで、揺動堰２４の上端を所望距離だけ水面下に沈めることができるので、スカム水のトラフ２２への越流量を調整できる。
【００３９】
以上、揺動堰駆動手段４０、４０’において揺動堰２４がフロート式構図の例で説明したが、フロート式でない場合には、揺動堰駆動手段４０、４０’で揺動堰２４を上下両方に移動させるようにすればよい。尚、揺動堰駆動手段４０’において、揺動堰２４を上下両方に移動させるためには、棒状部材４１とロッド５０Ａとを接合部材（不図示）を使って接合することが必要である。
【００４０】
このように、揺動堰駆動手段４０、４０’を設けることで、沈殿池１０の水位の変動に伴いフロート構造の揺動堰２４が上下するので揺動堰２４及びトラフ２２の上端は常に水面付近にあることができ、また、スカムを流入させる場合には、強制的に一定量押し込むことでスカムを含むスカム水を効果的にトラフ２２に流入させることができる。
【００４１】
以上説明したように、本発明に係るスカム除去装置２０は、水処理設備の沈降池において水面に浮遊するスカムを簡単な構造で確実に除去することができる。
【図面の簡単な説明】
【００４２】
【図１】本発明の実施の形態に係るスカム除去装置の斜視図。
【図２】本発明の実施の形態に係るスカム除去装置を上面から見た概略図。
【図３】トラフと揺動堰との連結部分を説明する説明図。
【図４】本発明の実施の形態に係るスカム除去装置の説明図。
【図５】本発明の実施の形態に係るスカム除去装置の説明図。
【図６】本発明の別の実施の形態に係るスカム除去装置の説明図。
【図７】本発明の別の実施の形態に係るスカム除去装置の説明図。
【図８】本発明の別の実施の形態に係るスカム除去装置の説明図。
【図９】本発明の別の実施の形態に係るスカム除去装置の説明図。
【図１０】本発明に係るスカム除去装置における揺動堰駆動手段の斜視図。
【図１１】本発明に係るスカム除去装置における揺動堰駆動手段の斜視図。
【符号の説明】
【００４３】
１０…沈殿池、１２…壁、１４…スカム水、２０…スカム除去装置、２２…トラフ、２３…ヒンジ、２４…揺動堰、２５…カバー、２６…第２の側板、２７…流入開口、２８…蛇腹部材、２９…ピン、３０…排出流路、３１…第１の側板、３２…排出口、３４…ガイド板、３７…曝気管、４０，４０’…揺動堰駆動手段、４１…棒状部材、４２…ヒンジ、４４…ガイド筒、４６…エアプランジャ、４７…装置本体基盤、４８…エアシリンダ、４９…クランプ、５０…電動エアシリンダ、５４…板状部材、５５…ヒンジ、５６…バネ部材、５７…シリンダ装置、５９…シート
【図１】
2007098213.tif 000003
【図２】
2007098213.tif 000004
【図３】
2007098213.tif 000005
【図４】
2007098213.tif 000006
【図５】
2007098213.tif 000007
【図６】
2007098213.tif 000008
【図７】
2007098213.tif 000009
【図８】
2007098213.tif 000010
【図９】
2007098213.tif 000011
【図１０】
2007098213.tif 000012
【図１１】
2007098213.tif 000013